(57)【要約】【課題】  いかなるタイプの大人用便座にもしっかりと取付けることができ、かつ汚物が付着しにくく外観上常にきれいに保つとともに衛生上も問題が生じない幼児用補助便座を提供する。【解決手段】  大人用便座に載置され便座部の内周縁が下方に延出されて形成された壁部を大人用便座の内側面に位置決めさせる幼児用補助便座において、内側の壁部と上端が幼児用補助便座１の壁部１５０の外側面と便座部の下面に当接して着脱可能に固定され、上端と内側の壁部と対向する外側部とが開口するケース５１０と、ケース５１０に外方に向かって入出可能かつ突出量が可変に収納され、先端が大人用便座の内側面の少なくとも近傍領域に位置して大人用便座に載置される幼児用補助便座１のがたつきを抑える可動部材５５０とからなる取付け調整固定具５００を備えている。【選択図】  図１
2005323875.tif 000002
【特許請求の範囲】
【請求項１】
大人用便座に載置され便座部の内周縁が下方に延出されて形成された壁部を前記大人用便座の内側面に位置決めさせる幼児用補助便座において、
内側の壁部と上端が前記幼児用補助便座の壁部の外側面と便座部の下面に当接して着脱可能に固定され、前記上端と前記内側の壁部と対向する外側部とが開口するケースと、前記ケースに外方に向かって入出可能かつ突出量が可変に収納され、先端が前記大人用便座の内側面の少なくとも近傍領域に位置して前記大人用便座に載置される幼児用補助便座のがたつきを抑える可動部材とからなる取付け調整固定具を備えたことを特徴とする幼児用補助便座。
【請求項２】
前記ケースの側壁内面と前記可動部材の対向する側壁外面の基端部との間に前記可動部材の突出量を選択的に設定する位置決め手段が設けられていることを特徴とする、請求項１に記載の幼児用補助便座。
【請求項３】
前記位置決め手段は、前記ケースの側壁内面に上下方向に沿って平行に所定の間隔で形成された複数の凹溝と、前記可動部材の側壁外面の基端部に設けられ前記ケースの上端開口部から挿入されて前記複数の凹溝に選択的に嵌合可能な凸条とからなることを特徴とする、請求項２に記載の幼児用補助便座。
【発明の詳細な説明】
【技術分野】
【０００１】
本発明は、大人用便座に取付けて幼児が使用する幼児用補助便座に関する。
【背景技術】
【０００２】
大人用便座に取付けて幼児が使用する幼児用補助便座は従来から知られている（例えば、特許文献１参照）。かかる特許文献１に記載の幼児用補助便座は、リング状の補助便座本体の下面に取付け部を設け、この取付け部に対して嵌合可能な固定片を有した大人用補助便座に対する幼児用補助便座の固定手段を備えている。そして、この固定手段は、そのリング状の補助便座本体に対する取付け位置が略径方向に沿って調整可能となっており、大きさの異なる様々な大人用便座に取付け可能なようになっている。これによって、引越ししたりトイレを改修してサイズの異なる新しい大人用便座を設置した場合にも同一の幼児用補助便座によって対応できるようにしている。
【０００３】
【特許文献１】特開平７−３２７８６６（２−３頁、図１）
【発明の開示】
【発明が解決しようとする課題】
【０００４】
かかる特許文献１に記載の幼児用補助便座に備わった固定手段は、その略径方向の調整機構に関してネジやナットを用いない固定片と取付け部とから構成されている。具体的には、固定手段の一方を構成する取付け部に凸条が形成され、他方を構成する固定片にはこの凸条に選択的に嵌入される複数の案内溝が形成されている。そして、取付け部の凸条を嵌入させる固定片の案内溝を変更することにより、固定手段の取付け位置をリング状の補助便座本体に対して略径方向に沿って移動できるようにしている。
【０００５】
しかしながら、このような従来技術の構成では、特許文献１の図８に示されているように、壁部と固定手段の間に隙間が生じる場合がある。すなわち、固定片が略径方向に沿って移動する為、その移動量に応じて便座部の内周縁が下方に延出されて形成された壁部と固定片との間に隙間が生じる。固定片の位置によって特にこの隙間が狭い場合では、かかる隙間に詰まった汚れを掃除で取り除くのは困難であり、この隙間部の清掃性が悪いという問題がある。
【０００６】
これに加えて、特許文献１の図６に示すように、かかる凸条と案内溝が特定の嵌合状態にあると、取付け部の開口部から固定片の案内溝に汚物が浸入するおそれがあり、幼児用補助便座を長期間使用しているとこのような凸条と案内溝との間で形成される凹凸部の中に汚物が詰まって乾燥付着してしまうおそれがある。このように汚物が凹凸部において乾燥付着してしまうと、きれいに清掃しても汚物の全てを取り去ることは難しく、外観が汚れて見栄えが悪くなるばかかりでなく、異臭を放ったりして衛生上も好ましくない。
【０００７】
本発明の目的は、いかなるタイプの大人用便座にもしっかりと取付けることができ、かつ汚物が付着しにくく外観上常にきれいに保つとともに衛生上も問題が生じない幼児用補助便座を提供することにある。
【課題を解決するための手段】
【０００８】
上述した課題を解決するために、本発明にかかる幼児用補助便座は、
大人用便座に載置され便座部の内周縁が下方に延出されて形成された壁部を前記大人用便座の内側面に位置決めさせる幼児用補助便座において、
内側の壁部と上端が前記幼児用補助便座の壁部の外側面と便座部の下面に当接して着脱可能に固定され、前記上端と前記内側の壁部と対向する外側部とが開口するケースと、前記ケースに外方に向かって入出可能かつ突出量が可変に収納され、先端が前記大人用便座の内側面の少なくとも近傍領域に位置して前記大人用便座に載置される幼児用補助便座のがたつきを抑える可動部材とからなる取付け調整固定具を備えたことを特徴とする。
【０００９】
可動部材の突出量が可変なので、幼児用補助便座を様々なサイズの大人用便座に適合させることができる。また、ケースを幼児用補助便座の下面と壁部外面に当接させることによって、幼児用補助便座を大人用便座に固定させる際に、可動部材の取付け位置をどのように変更しても、ケースと便座下面や壁部外面との間に隙間が生じない構成となっているので清掃性が良い。
【００１０】
また、本発明の請求項２に記載の幼児用補助便座は、請求項１に記載の幼児用補助便座において、
前記ケースの側壁内面と前記可動部材の対向する側壁外面の基端部との間に前記可動部材の突出量を選択的に設定する位置決め手段が設けられていることを特徴とする。
【００１１】
位置決め手段がケース内にあるので、ケース外側に凹凸を形成する必要がなく、ケース表面が平らで清掃がし易くなる。また、可動部材の側壁外面の基端部に位置決め手段があるので、可動部材を突出させても、位置決め手段の凹凸がケース外に出ることがなく、取付け調整固定具表面は滑らかなままで清掃が行い易い。
【００１２】
また、本発明の請求項３に記載の幼児用補助便座は、請求項２に記載の幼児用補助便座において、
前記位置決め手段は、前記ケースの側壁内面に上下方向に沿って平行に所定の間隔で形成された複数の凹溝と、前記可動部材の側壁外面の基端部に設けられ前記ケースの上端開口部から挿入されて前記複数の凹溝に選択的に嵌合可能な凸条とからなることを特徴とする。
【００１３】
可動部材の側壁外面の基端部に凸条があるので、可動部材を突出させても、位置決め手段の凸条がケース外に出ることがなく、取付け調整固定具表面が平らのままで清掃が行い易い。また、凹溝と凸条の嵌合により可動部材が強固に固定され、可動部材が大人用便座から横荷重を受けても位置がずれることがない。
【発明の効果】
【００１４】
本発明によると、いかなるタイプの大人用便座にもしっかりと取付けることができ、かつ汚物が付着しにくく外観上常にきれいに保つとともに衛生上も問題が生じない幼児用補助便座を提供することができる。
【発明を実施するための最良の形態】
【００１５】
以下、本発明の一実施形態にかかる幼児用補助便座について説明する。本発明の一実施形態にかかる幼児用補助便座１は、製造時に成型しやすくかつ使用に際して十分な強度を有する例えばポリプロビレンなどの樹脂材でできており、図１及び図２に示すように、一部に小水受け部１２０（図２参照）を備えた便座本体１００と、便座本体１００の小水受け部１２０に被せて着脱自在に取付けられる取手２００と、取手２００の便座本体１００への取付けに際して使用するとともに取手２００を便座本体１００から取り去った際に便座本体１００の取手取付け用の係合凹部１３０（図３参照）を覆うキャップ３００とを備えている。
【００１６】
便座本体１００は、図３に示すように、上面視で楕円のリング状をなした座部１１０と、座部１１０の前方部分において上方に膨出して形成された小水受け部１２０と、リング状の座部１１０の内周縁に沿って全周にわたって下方に突出した壁部１５０（図４及び図５参照）と、壁部１５０であって取手２００と対向する側の便座本体１００の短手方向中央部に設けられた大人用便座への後端接触リブ１５１（図５参照）と、壁部１５０の外壁面であって便座本体１００の長手方向中央部にそれぞれ設けられた大人用便座への取付け調整固定具５００（図４及び図５参照）とを備えている。なお、取付け調整固定具５００は、図１１乃至図１７に示すように、ケース５１０とケース５１０から突出し、その突出量を選択可能な可動部材５５０を備えている。
【００１７】
一方、小水受け部１２０は、便座本体１００の先端に向かって先細りになる卵形の一部をなすような外観形状を備え、図６に示すように、小水受け部１２０の前方部分１２１は中実構造なし、一部に取手２００と係合する係合凹部１３０と当該係合凹部１３０と連続して形成されたキャップ３００の支持軸挿通用の軸孔１４０が穿設されている。また、小水受け部１２０の後方部分１２２は、滑らかな内壁面を有した中空構造をなし、いわゆる小水受けとしての役目を果たしている。
【００１８】
小水受け部１２０の上面は、図６に示すように、一定の傾斜面である合わせ面１２５を形成しており、合わせ面１２５は後述する取手２００の下面に形成された下側合わせ面２２５（図７参照）やキャップ３００の周壁３２０の下縁に沿った合わせ面３２５（図９参照）と角度的に合致するようになっている。なお、小水受け部１２０の合わせ面１２５は、キャップ３００の周壁３２０を当接させた状態でキャップ３００の上面部３１０が幼児用補助便座使用状態で水平をなすような傾斜角度に形成されている。これによって、例えばキャップ３００の上面部３１０にキャラクタを描いておくと、便座に座った幼児がこのキャラクタを見易くなり、幼児が安定した状態で用を足せることができるようになる。
【００１９】
また、便座本体１００の小水受け部開口部基端側近傍には取手２００の小水受け部開口側縁部基端側に形成された凸起部２４１（図７及び図８参照）が係合するための凹み部１１５（図３参照）が形成されている。また、便座本体１００の小水受け部開口縁部には、その基端側近傍に取手２００と係合する縁凸部１２３（図４参照）が形成されている。
【００２０】
一方、壁部１５０の長手方向ほぼ中央には、図１６に示すように、取付け調整固定具５００のケース５１０を壁部１５０に位置決めするための二本の位置決めリブ１５０ａ，１５０ｂが壁部上下方向に平行に形成されている。
【００２１】
位置決めリブ１５０ａ，１５０ｂは、それぞれが底面視でＬ型形状をなし、壁部１５０の下端から便座本体下面１０１まで延在形成されている。また、位置決めリブ１５０ａ，１５０ｂの下端周囲は壁部１５０の下端が下方に若干延出して下方延在部１５０ｃを形成し、カバー５１０と便座本体１００の壁部１５０との間に隙間ができないようになっている。
【００２２】
また、便座本体１００の下面１０１にもケース５１０の上面を位置決めする二本の補助カバーリブ１０１ａ，１０１ｂが便座本体短径方向内側から外側に向かって形成されている。なお、補助カバーリブ１０１ａ，１０１ｂは、ケース５１０の両側壁と便座本体下面１０１との隙間を覆う役目も果たしている。
【００２３】
また、便座本体下面１０１において補助カバーリブ１０１ａ，１０１ｂに挟まれるようにボス１０２が下方に向かって突出形成されている。なお、ボス１０２は、取付け調整固定具５００を便座本体１００に固定するためのネジ取付け用のボスであり、その内周面には図示しない雌ネジが形成されている。
【００２４】
また、便座本体下面１０１の前方部分には、図５に示すように、幼児用補助便座１を取り外した際にこれを例えばトイレの壁のフックなどに引掛けて保管しておくための引掛け部１１９が備わっている。引掛け部１１９は、一端を支点として便座本体下面１０１に引っ込むようになっており、幼児用補助便座１を壁に引掛ける際には引掛け部１１９を回転して便座本体１００の外側に取り出すことができるようになっている。
【００２５】
一方、取手２００は、図７及び図８に示すように、小水受け部１２０の外形に対応した形状を備えた固定部２２０と、固定部２２０から上方に延在し逆Ｕ字形状を有した掴み部２１０を備えている。また、固定部２２０の下面は小水受け部１２０の上面傾斜部である合わせ面１２５（図６参照）と角度的に合致する傾斜を備えた下側合わせ面２２５として形成されており、かつ下側合わせ面２２５から下方に向かって三角柱状の係合凸部２３０が突出形成されている。
【００２６】
なお、係合凸部２３０の中心部はキャップ取付け用のボルト（図示せず）を挿通するためのボルト挿通孔２３１が形成されている。そして、ボルト挿通孔２３１の下側開口部にはボス２３０ａが突出形成されている。また、ボルト挿通孔２３１の上側部分は拡径しており、キャップ３００の支持軸３３０（図９参照）を嵌合させるための軸孔２３２となっている。そして、係合凸部２３０は取手２００を小水受け部１２０に被せると、小水受け部１２０に形成された係合凹部１３０に係合するようになっている。
【００２７】
また、小水受け部１２０の上面傾斜部である合わせ面１２５と対応する固定部２２０の上面にも取手２００の下面と同様の傾斜角度を有する上側合わせ面２３５（図７参照）が形成されている。これによって、キャップ３００を介して取手２００を小水受け部１２０に取付けると、キャップ３００の周壁３２０の下縁が上側合わせ面２３５に合致するとともに、キャップ３００の上面部３１０が幼児用補助便座使用状態で水平をなすようになっている。
【００２８】
一方、固定部２２０の小水受け開口部に対応する縁部２４０には、図８に示すように便座本体１００と当接する基端部に凸起部２４１が形成されるとともに、基端部近傍に小水受け部１２０の開口部の縁凸部１２３（図４参照）と係合して取手２００の前方向への倒れを防止する係合孔２４２ａを備えた耳部２４２が形成されている。また、縁部２４０の上部幅方向中央位置には小水受け部１２０の開口縁部と係合して取手２００の前方向への倒れを防止する舌片２４３が形成されている。また、掴み部２１０の上部内側面には取手２００を幼児が握りやすくかつ滑ることがないように浅い凹み部２１０ａが幼児の指の間隔に合わせて所定の数だけ形成されている。
【００２９】
一方、キャップ３００は、図９に示すように取付け状態で水平面をなす上面視略円形の上面部３１０と、上面部３１０の周囲縁に沿って下方に延在するとともに、その下縁部が小水受け部１２０の傾斜面である合わせ面１２５及び取手２００の固定部上面に形成された上側合わせ面２３５と合致した傾斜角度を有する周壁３２０を備えている。そして、周壁３２０の下縁部がキャップ３００の合わせ面３２５を形成している。また、キャップ３００の上面部３１０の内側には上面部３１０と垂直方向にかつ合わせ面３２５と一定の角度をなすようにキャップ取付け用の支持軸３３０が突出形成されている。また、支持軸３３０の内周面には図示しないボルト締結用の雌ネジが形成されている。
【００３０】
そして、キャップ３００の支持軸３３０は、キャップ３００を小水受け部１２０に直接取付ける際に、小水受け部１２０の上面視三角形状の係合凹部底部に形成された軸孔１４０（図６参照）に嵌合するようになっている。また、小水受け部１２０に取手２００を取付ける場合、キャップ３００の支持軸３３０は取手２００の軸孔２３２（図７参照）に嵌合するようになっている。
【００３１】
一方、取付け調整固定具５００は、図１１乃至図１７に示すように、幼児用補助便座１の壁部１５０の外側面と便座本体下面１０１に取付けられるケース５１０と、ケース５１０からの突出量が可変にケース５１０に取付けられる可動部材５５０とを備えている。ケース５１０と可動部材５５０は、ともに成型がし易くかつ十分な強度を有する例えばポリプロビレンなどの樹脂材でできており、ともに所定の面に開口部を備えた略直方体形状を有している。
【００３２】
以下、ケース５１０と可動部材５５０の構造についてより詳細に説明する。ケース５１０は、図１１及び図１２に示すように、縁部が便座本体１００の壁部１５０に当接する壁部側開口部５１１と、便座本体下面１０１に当接する下面側開口部５１２と、可動部材５５０が突出する可動側開口部５１３とを有した直方体形状を備えている。そして、両側面５１４，５１５および底面５１６は滑らかに形成されている。また、ケース５１０の壁部側開口部近傍にはケース上下方向に沿ってネジ挿通孔５１７ａを備えたボス５１７が形成されている。また、ボス５１７とケース５１０の両側壁５１４，５１５とは二本の補強用リブ５１８，５１９で連結されている。また、ケース両側壁５１４，５１５の内壁面には、可動部材５５０の基端側に形成された凸条５６１（図１３及び図１４参照）と選択的に嵌合可能な複数の並列した凹溝５２１が壁部上下方向にわたって形成されている。さらには、ケース５１０の可動側開口部５１３の縁部５１３ａ（図１１参照）は内側に回り込んで可動部材５５０とケース５１０との間に隙間ができないようになっている。
【００３３】
また、ケース５１０の壁部側開口部５１１の縁部５１１ａ（図１２参照）も一部が内側に回り込み、これによって一方の補強用リブ５１８と縁部５１１ａとの間に隙間が形成され、この隙間に便座本体１００の位置決めリブ１５０ａ，１５０ｂ（図１６参照）が嵌合するようになっている。また、ケース５１０の下面側開口部５１２は、便座本体１００にケース５１０を嵌合させたときに便座本体下面１０１とケース５１０との間に隙間ができないように密着する形状となっている。
【００３４】
一方、可動部材５５０は、図１３及び図１４に示すように、便座本体下面１０１に当接する下面側開口部５５１を有するとともに、その他の４つの側壁面５５２〜５５５及び底壁面５５６には開口部が形成されず滑らかな形状に形成されている。また、可動部材５５０の突出方向基端側には側壁面５５２，５５３の長手方向縁部に沿って一本の凸条５６１がそれぞれ延在形成されている。そして、凸条５６１の可動部材突出方向の幅はケース５１０の凹溝５２１の溝幅に対応するように形成され、凸条５６１がケース５１０の複数の凹溝５２１に選択的に嵌合できるようになっている。また、可動部材５５０の突出方向基端側側壁部５５５には、可動部材５５０をケース５１０に最も収容した状態でケース５１０のボス５１７との干渉を防止する端面視半円状の凹み部５５５ａが上下方向にわたって連続的に形成されている。また、可動部材５５０の突出方向と直交する両側壁面５５２，５５３の幅は、ケース５１０の可動側開口部５１３の開口縁部幅と合致しており、ケース５１０のいずれの凹溝５２１に可動部材５５０の凸条５６１を嵌合させようと、可動部材５５０の両側壁面５５２，５５３とケース５１０の可動側開口部５１３との間が密着し、隙間ができないようになっている。
【００３５】
同様に、可動部材５５０の底壁面５５６とケース５１０の可動側開口部５１３の縁部とも可動部材５５０の凸条５６１をケース５１０のいずれの凹溝５２１に嵌合させようと常に密着するようになっており、この間にも隙間ができないようになっている。これによって、可動部材５５０をケース５１０から適当な突出量ごとに突出させることができ、かつ取付け調整固定具５００を便座本体１００に取付けた状態で便座本体１００の壁部１５０及び便座本体下面１０１に取付け調整固定具表面全体が隙間及び凹凸を有することなく連続して滑らかに形成され、幼児用補助便座使用中に汚物が付着しにくく、かつもし汚物が付着しても簡単に清掃して取り去ることができるようになっている。
【００３６】
このように構成された幼児用補助便座１は、以下のようにして使用される。幼児がまだ小さく幼児用補助便座使用時に掴み部２１０を握る必要がある場合は、図１及び図２に示すように、幼児用補助便座１に取手２００を取付けた状態で使用する。この際、同図に示すように、取手２００を便座本体１００に被せてキャップ３００とボルト、座金、及びスプリングワッシャ（図示せず）を介して取手２００を便座本体１００にしっかりと固定する。
【００３７】
この取手２００の取付けにあたっては、凹み部１１５（図３参照）に取手２００の凸起部２４１（図７及び図８参照）を係合させ、この凹凸部を中心として取手２００を前方に回転させ、取手２００の耳部２４２（図８参照）を小水受け１２０の縁凸部１２３（図４参照）に係合させるとともに、取手２００の係合凸部２３０（図７参照）を小水受け部１２０の係合凹部１３０（図６参照）に係合させることで取手２００を便座本体１００の小水受け部１２０に簡単に取付けることができる。この時、取手２００の係合凸部２３０が三角柱状で係合凹部１３０も上面視三角形を有していることで、取手２００が小水受け部１２０に対して周方向にがたつくことなく取付けることができる。
【００３８】
次いで、キャップ３００の支持軸３３０（図９参照）を取手２００の軸孔２３２（図７参照）に嵌合させるとともにボルト、座金、及びスプリングワッシャを介してキャップ３００を取手２００に簡単に固定することができる。
【００３９】
また、幼児がある程度大きく取手２００を必要としなくなったときは、ボルトを緩めてキャップ３００を外し、取手２００を取り去った後にキャップ３００を再び取付けた状態で幼児用補助便座１を使用する（図１０参照）。キャップ３００の取付けにあたっては、キャップ３００の支持軸３３０（図９参照）を小水受け部１２０の軸孔１４０（図６参照）に嵌合させるとともにボルト、座金、及びスプリングワッシャを介してキャップ３００を小水受け部１２０に簡単に固定することができる。
【００４０】
このように、幼児の使用態様に合わせて取手２００とキャップ３００を取付けた後、又は取手２００を取り外してキャップ３００のみを取付けた後、幼児用補助便座１を大人用便座に以下の手順で殆んどがたつくことなく載置する。かかる幼児用補助便座１を大人用便座に取付けるにあたっては、予め大人用便座の便座本体の内周部短径幅を図る。そして、取付け調整固定具５００の可動部材同士の両端部分間隔がこの短径幅より若干小さくなる程度の可動部材５５０のケース５１０からの突出量を決める。そして、図１５に示すように可動部材５５０の凸条５６１をこの突出量に見合ったケース５１０の凹溝５２１に嵌合し、この状態で図１６及び図１７に示すようにケース５１０の壁部側開口部５１１を幼児用補助便座１の壁部１５０の位置決めリブ１５０ａ，１５０ｂに係合させるとともに、ケース５１０の下面側開口部５１２を便座本体下面１０１に当接する。そして、図１７に示すようにネジ３５５とスプリングワッシャ３５６と座金３５７を用いて、取付け調整固定具５００を便座本体１００に取付ける。
【００４１】
次いで、可動部材５５０の突出量を大人用便座に合わせた幼児用補助便座１を図１８乃至図２０に示すように大人用便座に載置する。
【００４２】
このように載置すると、後端接触リブ１５１と左右の取付け調整固定具５００における可動部材５５０の側壁面５５４が大人用便座の内周に接触、若しくは一定距離をおいて位置する。大人用便座の内周は側壁面５５４が接触、若しくは一定距離をおいて位置する箇所より前に向かうほど幅が狭くなっているので、幼児用補助便座１が大人用便座の前方に向かってずれることはなく、また、後端接触リブ１５１が大人用便座の内周後端に当接するため後方に向かってずれることもない。これによって大人用便座における幼児用補助便座１の前後方向のがたつきが防止される。また、左右方向（幅方向）のがたつきは左右の側壁面５５４で防止される。このように、大人用便座に載置された幼児用補助便座１は、取付け調整固定具５００によって大人用便座に殆んどがたつくことなく載置される。
【００４３】
なお、便座本体１００の壁部１５０とケース間は隙間ができずに密着するとともに、便座本体下面１０１とケース５１０の上縁部も補助カバーリブ１０１ａ，１０１ｂを介して隙間ができずに密着している。また、ケース５１０と可動部材５５０との間や便座本体下面１０１と可動部材５５０との間も隙間ができずに密着している。すなわち、可動部材５５０の突出量をいずれの突出量に選択しようとも、ケース５１０は便座本体下面１０１と壁部１５０に常に密着してこれらの間に隙間を生じさせることがなく、この間に汚物が入り込むこともない。
【００４４】
また、可動部材５５０の凸条５６１はその基端側に形成され、ケース５１０の凹溝５２１はその内壁に形成されているので、可動部材５５０をどのように突出させようと、可動部材５５０とケース５１０の外側面は滑らかな表面として形成され、これによって、汚物が付着しにくく、仮に汚物が付着しても簡単に清掃することができる。従って、特許文献１に記載された従来の幼児用便座のように固定片と壁部の間や取付け部の開口部を介して固定片の案内溝に汚物が付着し、清掃しても取れなくなるという不具合を生じることはない。
【００４５】
このように、取付け調整固定具５００の外側面は従来の取付け調整固定具のように表面上に凹凸が形成されておらず、表面全体にわたって滑らかに形成されているので、汚物が付着しにくくかつ仮に汚物が付着しても容易に清掃して取り去ることができる。また、ケース５１０と壁部１５０との間に隙間がないので、ケース５１０と壁部１５０との間への汚物の浸入がない。そのため、従来のように汚物が凹凸部に入り込んで乾燥付着し、外観上を及び衛生上好ましくないような事態を避けることができる。
【００４６】
以上、説明したように、本実施形態にかかる幼児用補助便座１は大人用便座への取付け調整用固定具５００を有し、取付け調整用固定具５００のケース５１０は、内側の壁部と上端が幼児用補助便座１の壁部１５０の外側面と便座部の下面に当接して着脱可能に固定されるようになっている。また、可動部材５５０はケース５１０に外方に向かって入出可能かつ突出量が可変に収納されるようになっている。なお、ケース５１０と可動部材５５０は、ネジ等の締結具を介して便座本体１００の下面と壁部１５０に一部が密着した状態で取付けられるようになっている。
【００４７】
このように、可動部材５５０の突出量が可変となっているので、幼児用補助便座１を様々なサイズの大人用便座に適合させることができる。また、ケース５１０が幼児用補助便座１の下面と壁部外面に当接するので、幼児用補助便座を大人用便座に載置する際に、可動部材５５０の取付け位置を変更しても、壁部１５０とケース５１０との間に隙間が生じない構成となり、清掃性が良い。また、可動部材５５０を突出させても取付け調整固定具５００と壁部１５０との間に汚物が浸入する隙間が生じないので、取付け調整固定具５００と壁部１５０との間への汚物の付着を防ぐことができ、衛生的である。
【００４８】
また、ケース５１０の側壁内面と可動部材５５０の対向する側壁外面の基端部との間には可動部材５５０の突出量を選択的に設定する位置決め手段が設けられている。このように、位置決め手段がケース内にあることで、ケース外側に凹凸を形成する必要がなく、ケース表面が平らで清掃がし易くなる。また、可動部材５５０の側壁外面の基端部に位置決め手段があるので、可動部材５５０を突出させても、位置決め手段の凹凸がケース外に出ることがなく、取付け調整固定具表面が滑らかなままとなり清掃が行い易い。
【００４９】
そして、ケース側に設けられた位置決め手段は、ケース５１０の側壁内面に上下方向に沿って平行に所定の間隔で形成された複数の凹溝５２１からなる。また、可動部材５５０に設けられた位置決め手段は、可動部材５５０の側壁外面の基端部に設けられケース５１０の上端開口部から挿入されてケース５１０に設けられた複数の凹溝５２１に選択的に嵌合可能な凸条５６１からなる。このように、可動部材５５０の側壁外面の基端部に凸条５６１があるので、可動部材５５０を突出させても、位置決め手段の凸条５６１がケース外に出ることがなく、取付け調整固定具表面は平滑なままで清掃が行い易い。また、凹溝５２１と凸条５６１の嵌合により可動部材５５０がケース５１０に強固に固定され、可動部材５５０が大人用便座から横荷重を受けても位置がずれることがない。
【００５０】
なお、ケースから突出する可動部材の表面全体が滑らかで凹凸がなければ、可動部材の基端部側に上述のような凸条を設ける代わりに凹溝を設け、かつケースの内壁面に上述のような複数の凹溝を設ける代わりに複数の凸条を設け、可動部材の凹溝がケースの複数の凸条に選択的に嵌合するようにしても良い。
【図面の簡単な説明】
【００５１】
【図１】本発明の一実施形態にかかる幼児用補助便座を斜め前方上側から示した斜視図である。
【図２】図１の幼児用補助便座を斜め後方上側から示した斜視図である。
【図３】図１の幼児用補助便座の便座本体を図１と同様の方向から示した斜視図である。
【図４】図３の便座本体を斜め後方上側から示した斜視図である。
【図５】図３に示した便座本体の底面図である。
【図６】小水受け部の長手方向に沿った断面図である。
【図７】取手の長手方向に沿った断面図である。
【図８】取手を斜め下方から示した斜視図である。
【図９】キャップを斜め下方から示した斜視図である。
【図１０】図１の幼児用補助便座を、取手を取り去ってキャップを取付けた状態で示した図１に対応する斜視図である。
【図１１】取付け調整固定具のカバーを可動部材突出方向斜め上方から見た斜視図である。
【図１２】図１１に示したカバーを壁部取付け方向斜め上方から見た斜視図である。
【図１３】取付け調整固定具の可動部材を突出方向基端側斜め上方から見た斜視図である。
【図１４】図１３に示した可動部材を突出方向基端側斜め下方から見た斜視図である。
【図１５】カバーに可動部材を取付ける直前の状態を可動部材突出方向斜め上方から示した斜視図である。
【図１６】取付け調整固定具を便座本体に取付ける直前の状態を便座本体の斜め下方から示した斜視図である。
【図１７】取付け調整固定具を便座本体にネジ締めする直前の状態を便座本体の斜め下方から示した斜視図である。
【図１８】幼児用補助便座を大人用便座に載置した状態を前方斜め上方から示した斜視図である。
【図１９】幼児用補助便座を大人用便座に載置した状態を下方から示した底面図である。
【図２０】幼児用補助便座を大人用便座に載置した状態を側方から示した側面図である。
【符号の説明】
【００５２】
１    幼児用補助便座
１００    便座本体
１０１    便座本体下面
１０１ａ，１０１ｂ    補助カバーリブ
１０２    ボス
１１０    座部
１１５    凹み部
１１９    引掛け部
１２０    小水受け部
１２１    前方部分
１２２    後方部分
１２３    縁凸部
１２５    合わせ面
１３０    係合凹部
１４０    軸孔
１５０    壁部
１５０ａ，１５０ｂ    位置決めリブ
１５０ｃ    下方延在部
１５１    後端接触リブ
２００    取手
２１０    掴み部
２１０ａ    凹み部
２２０    固定部
２２５    下側合わせ面
２３０    係合凸部
２３０ａ    ボス
２３１    ボルト挿通孔
２３２    軸孔
２３５    上側合わせ面
２４０    縁部
２４１    凸起部
２４２    耳部
２４２ａ    係合孔
２４３    舌片
３００    キャップ
３１０    上面部
３２０    周壁
３２５    合わせ面
３３０    支持軸
３５５    ネジ
３５６    スプリングワッシャ
３５７    座金
５００    取付け調整固定具
５１０    ケース
５１１    壁部側開口部
５１１ａ    縁部
５１２    下面側開口部
５１３    可動側開口部
５１３ａ    縁部
５１４，５１５    側面
５１６    底面
５１７    ボス
５１７ａ    ネジ挿通孔
５１８，５１９    補強用リブ
５２１    凹溝
５５０    可動部材
５５１    下面側開口部
５５２〜５５５    側壁面
５５５ａ    凹み部
５５６    底壁面
５６１    凸条
【図１】
2005323875.tif 000003
【図２】
2005323875.tif 000004
【図３】
2005323875.tif 000005
【図４】
2005323875.tif 000006
【図５】
2005323875.tif 000007
【図６】
2005323875.tif 000008
【図７】
2005323875.tif 000009
【図８】
2005323875.tif 000010
【図９】
2005323875.tif 000011
【図１０】
2005323875.tif 000012
【図１１】
2005323875.tif 000013
【図１２】
2005323875.tif 000014
【図１３】
2005323875.tif 000015
【図１４】
2005323875.tif 000016
【図１５】
2005323875.tif 000017
【図１６】
2005323875.tif 000018
【図１７】
2005323875.tif 000019
【図１８】
2005323875.tif 000020
【図１９】
2005323875.tif 000021
【図２０】
2005323875.tif 000022